(57)【要約】【課題】  本考案はエプロン本体の胸・腹部に表面が透明なポケットを設け、そこに差し込む布・用紙・写真が容易・明瞭に表示できることを可能にする、透明ポケット付エプロンの提供。【解決手段】  本考案はエプロン本体１の胸部に透明胸ポケット３、腹部に腹ポケット５と透明腹ポケット５ａを設け、その透明ポケットの開口部が開閉式蓋となるようにポケットと同幅の胸ポケット蓋テープ２・腹ポケット蓋テープ４を設ける。また腹ポケット５と透明腹ポケット５ａは重ね付けされ二重ポケットとする。【選択図】図１
0003206628.tif 000002
【実用新案登録請求の範囲】
【請求項１】
エプロン本体の胸部・腹部に表面が透明なポケットを設け、そこに差し込む布・用紙・写真が容易・明瞭に見えるようにしたエプロンである。本来のエプロンとしての作業性に加えて、表示力・告知力機能のついた特徴あるエプロンである。
【請求項２】
請求項１に記載のエプロンにおいて、素材は生地・ビニール・ポリエステルナイロン・難燃性生地・防水性生地・ゴムシート・樹脂シート・不織布などで形成されることを特徴とするエプロンである。
【請求項３】
請求工１に記載のエプロンにおいて、エプロン本体は縫製形成・型抜き裁断形成を採用し得る。
【請求項４】
請求項１に記載のエプロンにおいて、ポケットの設け方は、縫製・圧着・テープ付けなどの方法を採用し得る。
【請求項５】
請求項１に記載のエプロンにおいて、エプロン本体のデザインは最もシンプルなものであり、他パターンとして、肩紐が背中側に通じウエスト後部で止めつけられるタイプ・背中交差状タイプ・肩紐が胸当てから１本だけのワンショルダータイプ・前身ごろと後ろ身ごろが重なり合う巻きスカートタイプ・前身ごろ後ろ身ごろからなる袖なしタイプ（かぶり式・サイドスナップ式）・割烹着タイプなどの各種のパターンを採用し得る。
【請求項６】
請求項１に記載のエプロンにおいて、胸部・腹部ポケット入り口には開閉用テープを設けた特徴あるエプロンである。
【考案の詳細な説明】
【技術分野】
【０００１】  本考案は生地・ビニール・ポリエステル・ナイロン・難燃性生地・防水性生地・ゴムシート・樹脂シート・不職布などの適宜な素材によって形成されたエプロンの、胸当て部分と腹部分に表面が透明なポケットを設け、視覚的・告知的機能を取り入れたエプロンに関するものである。
【背景技術】
【０００２】  従来の作業用のエプロンは相対する人に視覚的・告知的機能を取り入れたものではない。【０００３】  しかしながら従来のエプロンの形のままでは表示物を付けることが容易ではなく、また持続可能ではないという欠点がある。
【考案の概要】
【考案が解決しようとする課題】
【０００４】  本考案は、以上のような従来のエプロンの機能に視覚的・告知的機能を取り入れることにより利便性が高まると考える。そのためにはエプロン胸部と腹部に設けるポケットの表面を透明にし、差し込む布・用紙・写真などが相対した人に容易・明瞭に表示できること、差し込まれたものが維持・濡れない・汚れないようにすることが必要である。よって本来のエプロンに視覚的・告知的機能を一体化させたエプロンを提供することを目的としている。
【課題を解決するための手段】
【０００５】  上記目的を達成するために、生地・ビニール・ポリエステル・ナイロン・難燃性生地・防水性生地・ゴムシート・樹脂シート・不職布などの適宜な素材によって形成されたエプロン本体の胸部と腹部に表面が透明なポケットを設け、その両ポケット部分に差し込む布・用紙・写真などが維持・濡れない・汚れないようにポケット本体上部入り口に、蓋になる開閉用テープを設け、透明ポケット付エプロンを構成し、視覚的・告知的機能を持たせ問題を解決している。【０００６】  腹ポケットは本来の作業性のあるポケット面と透明ポケット面の二重に形成された、透明ポケット付エプロンを構成する。
【考案の効果】
【０００７】  以上の説明から本考案にあっては次のような効果が得られる。【０００８】  エプロン使用者がエプロンの胸・腹ポケットに布・用紙・写真などを差し込むことにより、相対する人に対してポケット内の内容を容易に明瞭に表示アピールすることが可能になる。例として、店舗・また壁などがなく掲示物が貼りにくいテント内での作業・イベント・おしゃれ用装飾としてなど、告知・伝達内容などを明確に表示したい場合などに、特に視覚的・告知的機能のある透明ポケット付エプロンは効果的である。
【図面の簡単な説明】
【０００９】
【図１】本考案の透明ポケット付エプロンの正面全体図である。
【図２】透明胸ポケット部位の正面拡大図である。
【図３】透明腹ポケット部位の正面斜め拡大図である。
【図４】胸ポケット拡大横断面図である。
【図５】腹ポケット拡大横断面図である。
【考案を実施するための形態】
【００１０】  エプロン本体１に設けた透明胸ポケット３の差込入り口部分の胸ポケット蓋テープ２を上げ開き、布用紙・写真などを差し込む。その後胸ポケット蓋テープ２を降ろし閉めて、差し込むものが濡れない・汚れないようにすれば、本来のエプロン利用に加え視覚的・告知的機能のあるエプロンとして利用可能である。また透明腹ポケット５ａも同様に活用できる。
【実施例】
【００１１】  以下、本考案の実施の形態を図に基づいて説明する。【００１２】  図１はエプロン本体１の胸部に胸ポケット蓋テープ２・透明胸ポケット３を設け、また腹部には腹ポケット蓋テープ４・腹ポケット５・透明腹ポケット５ａを設けた透明ポケット付エプロンの正面全体図である。【００１３】  図２はエプロン本体１の胸部に胸ポケット蓋テープ２・透明胸ポケット３を設けた透明ポケット付エプロンの正面拡大図である。【００１４】  図３はエプロン本体１の腹部に腹ポケット蓋テープ４・腹ポケット５・透明腹ポケット５ａを重ねづけした透明ポケット付エプロンの正面斜め拡大図である。【００１５】  図４はエプロン本体１の胸部に胸ポケット蓋テープ２・透明胸ポケット３を設けた透明ポケット付エプロンの胸部拡大横断面図である。【００１６】  図５はエプロン本体１の腹部に腹ポケット蓋テープ４・腹ポケット５・透明腹ポケット５ａを重ねづけした透明ポケット付エプロンの腹部拡大横断面図である。
【符号の説明】
【００１７】１    エプロン本体
２    胸ポケット蓋テープ
３    透明胸ポケット
４    腹ポケット蓋テープ
５    腹ポケット
５ａ  透明腹ポケット
【図１】
0003206628.tif 000003
【図２】
0003206628.tif 000004
【図３】
0003206628.tif 000005
【図４】
0003206628.tif 000006
【図５】
0003206628.tif 000007
【手続補正書】
【提出日】平成28年7月8日(2016.7.8)
【手続補正１】
【補正対象書類名】実用新案登録請求の範囲
【補正対象項目名】全文
【補正方法】変更
【補正の内容】
【実用新案登録請求の範囲】
【請求項１】
エプロン本体の胸部・腹部に表面が透明なポケットを設け、そこに差し込む布・用紙・写真が容易・明瞭に見えるようにしたエプロンで、表示力・告知力機能のついた特徴があるエプロンである。
【請求項２】
請求項１に記載のエプロンにおいて、素材は生地・ビニール・ポリエステルナイロン・難燃性生地・防水性生地・ゴムシート・樹脂シート・不織布で形成されることを特徴とするエプロンである。
【請求項３】
請求項１に記載のエプロンにおいて、エプロン本体は縫製形成・型抜き裁断形成を採用し得る。
【請求項４】
請求項１に記載のエプロンにおいて、ポケットの設け方は、縫製・圧着・テープ付け方法を採用し得る。
【請求項５】
請求項１に記載のエプロンにおいて、エプロン本体のデザインは他パターンとして、肩紐が背中側に通じウエスト後部で止めつけられるタイプ・背中交差状タイプ・肩紐が胸当てから１本だけのワンショルダータイプ・前身ごろと後ろ身ごろが重なり合う巻きスカートタイプ・かぶり式袖なしタイプ・サイドスナップ式袖なしタイプ・割烹着タイプの各種のパターンを採用し得る。
【請求項６】
請求項１に記載のエプロンにおいて、胸部・腹部ポケット入り口には開閉用テープを設けた特徴あるエプロンである。